(57)【要約】【課題】改良された植物繁殖体等を提供する。【解決手段】本発明に係る植物繁殖体は、モリブデン含有物、及びタングステン含有物からなる群より選択される第一の資材と、ｐＨ調整作用によって当該第一の資材から供給される機能性成分の供給を調整する第二の資材とが植物繁殖体の表面又は内部に付与されている。【選択図】なし【特許請求の範囲】
【請求項１】
モリブデン含有物、及びタングステン含有物からなる群より選択される第一の資材と、
ｐＨ調整作用によって当該第一の資材から供給される機能性成分の供給を調整する第二の資材（ただし、過酸化カルシウムは除く）と、が植物繁殖体の表面又は内部に付与された、植物繁殖体。
【請求項２】
上記第二の資材は、室温での水に対する溶解割合が重量比１％以下の微溶性の資材である、請求項１に記載の植物繁殖体。
【請求項３】
上記第二の資材が、酸化マグネシウム、水酸化マグネシウム、炭酸マグネシウム、酸化カルシウム、水酸化カルシウム、炭酸カルシウム、酸化亜鉛、水酸化亜鉛、炭酸亜鉛、ベントナイト、及びタルクからなる群より選択される少なくとも一種である、請求項２に記載の植物繁殖体。
【請求項４】
上記第一の資材は、金属モリブデン、三酸化モリブデン、モリブデン酸とその塩、モリブドリン酸とその塩、モリブドケイ酸とその塩、金属タングステン、三酸化タングステン、タングステン酸とその塩、タングストリン酸とその塩、タングストケイ酸とその塩、からなる群より選択される少なくとも一種である、請求項１から３の何れか一項に記載の植物繁殖体。
【請求項５】
上記植物繁殖体はイネ科、又はマメ科の植物である、請求項１〜４のいずれか一項に記載の植物繁殖体。
【請求項６】
植物繁殖体の苗立ちが向上する、請求項１〜５のいずれか一項に記載の植物繁殖体。
【請求項７】
上記植物繁殖体は種子である、請求項１〜６のいずれか一項に記載の植物繁殖体。
【請求項８】
請求項１から７の何れか一項に記載の植物繁殖体を植え付ける植付工程を包含する、植物繁殖体の栽培方法。
【請求項９】
上記植付工程以降から苗立ち期の間に、植物体の少なくとも一部が湛水状態となる期間を有する、請求項８に記載の栽培方法。
【請求項１０】
酸化マグネシウム、水酸化マグネシウム、炭酸マグネシウム、酸化カルシウム、水酸化カルシウム、炭酸カルシウム、酸化亜鉛、水酸化亜鉛、及び炭酸亜鉛からなる群より選択される少なくとも一種が植物繁殖体の表面又は内部に付与されるとともに、モリブデン含有物、及びタングステン含有物からなる群より選択される資材が植物繁殖体の表面又は内部に付与されていない、植物繁殖体。
【発明の詳細な説明】
【技術分野】
【０００１】
本発明は、植物の生育を向上させる資材が付された植物繁殖体、及びその栽培方法に関するものである。
【背景技術】
【０００２】
米は世界三大穀物の１つであり、イネは日本において最も作付面積が広い重要な作物である。現在の日本で行われている一般的な稲作は、育苗箱に種子を播いて生長させた苗を本田に植えるため、諸外国の稲作と比べてコスト高であり、コスト削減が望まれている。また、農家の高齢化が進んでおり、省力化も求められている。このように、稲作のコスト削減及び省力化を実現する観点から、イネの種子を本田に直接播種する直播が注目されている。
【０００３】
しかし、直播のうち、湛水及び代かきの後の水田に種子を播種する湛水直播では苗立ちが不安定になりやすく、その原因は、一般に、酸素不足であるとされている。また、非特許文献１には、土壌中の酸素が無くなったのちに酸素の代わりに電子を受け取る物質が消費される土壌還元が原因であることが記載されている。
【０００４】
そこで、湛水直播では、苗立ちを改善する目的で、播種前に、種子の表面を、酸素発生剤等の苗立ちを安定化させる資材で被覆する方法が普及している（非特許文献２）。
【０００５】
また、鳥害及び浮き苗の発生を避けるために、鉄等を被覆した種子を酸素不足が起きない土壌の表面に播種する方法も試みられている（特許文献１）。
【先行技術文献】
【特許文献】
【０００６】
【特許文献１】特開２００５−１９２４５８（２００５年７月２１日公開）
【特許文献２】国際公開ＷＯ２０１１／０９３３４１Ａ１（２０１１年８月４日）
【非特許文献】
【０００７】
【非特許文献１】萩原素之、石川県農業短期大学特別研究報告第２０号、「水稲の湛水土壌中直播における出芽・苗立ちに関する研究」、１９９３年３月
【非特許文献２】農林水産省第９回検討会資料１、「米の直播技術等の現状」、ｐ．１３、２００８年３月（http://www.maff.go.jp/j/study/kome_sys/09/pdf/data1.pdf）
【発明の概要】
【発明が解決しようとする課題】
【０００８】
しかし、酸素発生剤等の資材を用いる方法では、被覆する資材にコストがかかり、また、種子に対する資材の必要量が多いため、被覆の手間もかかる。
【０００９】
また、鉄等を用いる方法では、そもそも土壌表面に播種しなければならず、種子が土壌中に潜ってしまった場合は、苗立ち低下が起きる。
【００１０】
そこで、本願発明者らは、これらに代わる手法として、モリブデン等を用いた植物の生育改善の方法を検討し、著しい効果を認めた（特許文献２）。しかし、特許文献２に記載した方法をもってしてもさらなる改良が求められる場合がありうる。本発明者らの検討の結果、例えば土壌や土壌代替物の、ｐＨ緩衝力が低い又は酸性などの環境条件では、モリブデン酸イオンなどの機能成分が溶出しにくく、充分な効果が得られにくいことが予想された。
【００１１】
本発明は、上記の従来技術が有する問題に鑑みてなされたものであり、その目的は、改良された植物繁殖体、及びその栽培方法を提供することにある。
【課題を解決するための手段】
【００１２】
上記の課題を解決するために、本願発明は以下のものを提供する。
１）モリブデン含有物、及びタングステン含有物からなる群より選択される第一の資材と、ｐＨ調整作用によって当該第一の資材から供給される機能性成分の供給を調整する第二の資材（ただし、過酸化カルシウムは除く）と、が植物繁殖体の表面又は内部に付与された、植物繁殖体。
２）上記第二の資材は、室温での水に対する溶解割合が重量比１％以下の微溶性の資材である、１）に記載の植物繁殖体。
３）上記第二の資材が、酸化マグネシウム、水酸化マグネシウム、炭酸マグネシウム、酸化カルシウム、水酸化カルシウム、炭酸カルシウム、酸化亜鉛、水酸化亜鉛、炭酸亜鉛、ベントナイト、及びタルクからなる群より選択される少なくとも一種である、２）に記載の植物繁殖体。
４）上記第一の資材は、金属モリブデン、三酸化モリブデン、モリブデン酸とその塩、モリブドリン酸とその塩、モリブドケイ酸とその塩、金属タングステン、三酸化タングステン、タングステン酸とその塩、タングストリン酸とその塩、タングストケイ酸とその塩、からなる群より選択される少なくとも一種である、１）から３）の何れかに記載の植物繁殖体。
５）上記植物繁殖体はイネ科、又はマメ科の植物である、１）〜４）のいずれかに記載の植物繁殖体。
６）植物繁殖体の苗立ちが向上する、１）〜５）のいずれかに記載の植物繁殖体。
７）上記植物繁殖体は種子である、１）〜６）のいずれかに記載の植物繁殖体。
８）上記１）から７）の何れかに記載の植物繁殖体を植え付ける植付工程を包含する、植物繁殖体の栽培方法。
９）上記植付工程以降から苗立ち期の間に、植物体の少なくとも一部が湛水状態となる期間を有する、８）に記載の栽培方法。
１０）酸化マグネシウム、水酸化マグネシウム、炭酸マグネシウム、酸化カルシウム、水酸化カルシウム、炭酸カルシウム、酸化亜鉛、水酸化亜鉛、及び炭酸亜鉛からなる群より選択される少なくとも一種が植物繁殖体の表面又は内部に付与されるとともに、モリブデン含有物、及びタングステン含有物からなる群より選択される資材が植物繁殖体の表面又は内部に付与されていない、植物繁殖体。なお、１０）の植物繁殖体において、さらに酸化鉄、望ましくは酸化鉄（ＩＩＩ）（Ｆｅ２Ｏ３）が植物繁殖体の表面又は内部に付与されていることが好ましい場合がある。
【発明の効果】
【００１３】
本発明によれば、生育向上の作用を示す改良された植物繁殖体、及びその栽培方法を提供することができる。
【図面の簡単な説明】
【００１４】
【図１】一実施例における試験の結果を示す図である。
【図２】他の実施例における試験の結果を示す図である。
【図３】さらに他の実施例における試験の結果を示す図である。
【図４】さらに他の実施例における試験の結果を示す図である。
【図５】さらに他の実施例における試験の結果を示す図である。
【図６】さらに他の実施例における試験の結果を示す図である。
【発明を実施するための形態】
【００１５】
〔１．植物繁殖体〕
（植物繁殖体の概要）
本発明に係る植物繁殖体は、１）モリブデン含有物、及びタングステン含有物からなる群より選択される第一の資材と、２）ｐＨの調整作用によって当該第一の資材から供給される機能性成分の供給を調整する第二の資材（ただし、過酸化カルシウムは除く）と、が植物繁殖体の表面又は内部に付与されたものである。
【００１６】
なお、「植物繁殖体の表面又は内部に付与されている」とは、第一の資材と第二の資材とが植物繁殖体の表面及び内部の少なくとも一方に付与されていればよく、第一の資材が植物繁殖体の表面に付与され、第二の資材が植物繁殖体の内部に付与されているような形態も含まれる。好ましくは、例えば、（１）植物繁殖体の表面の少なくとも一部が固形状の第一の資材と第二の資材とで被覆されていること、（２）植物繁殖体の表面及び内部に、第一の資材と第二の資材とを含む溶液が浸透していること、等の形態が挙げられる。より好ましくは、（１）の形態である。また、（１）の形態においては、第一の資材と第二の資材とが同じ被覆層中に混在していてもよく、被覆層が多層構造をとっていて異なる被覆層中に第一の資材と第二の資材とが別々に存在していてもよい。
また、植物繁殖体の表面に付与とは、植物繁殖体の外側に、当該植物繁殖体と一体的に資材が存在している状態を指す。
【００１７】
（植物繁殖体の種類等）
上記植物繁殖体の種類は特に限定されず、例えば、種子、むかご等の栄養繁殖器官、幼植物（苗）等が挙げられ、中でも種子が好ましい。植物繁殖体は、具体的には、例えば、水稲、オオムギ、コムギ等のイネ科植物の種子；ダイズ、ソラマメ、インゲンマメ等のマメ科植物の種子；アブラナ、チンゲンサイ、コマツナ、ダイコン等のアブラナ科植物の種子；ソバ等のソバ科植物の種子；等が挙げられる。
【００１８】
なお、「種子」は、発芽に必須ではない構造（例えば、籾殻、外種皮、内種皮等）を取り除いた後の種子であってもよい。
【００１９】
（第一の資材）
第一の資材は、モリブデン資材、及びタングステン資材からなる群より選択される少なくとも一種の資材である。モリブデン資材、及びタングステン資材は、オキソアニオンを生成することで、植物の生育環境中における硫化物イオンの生成を抑制する。さらに、これらのオキソアニオンは、植物の生育環境中における腐敗等の微生物の活動を抑制する。したがって、モリブデン資材又はタングステン資材を用いることにより、植物の苗立ち及び生育の低下を抑制することができる。
【００２０】
なお、モリブデン資材とタングステン資材とを比較した場合、モリブデン資材の方がより好ましい場合がある。より具体的には、モリブデン資材は、植物に対する施用実績も十分にある。また、モリブデン資材は、タングステン資材と比較して腐敗抑制効果がより強い。なお、タングステンも、植物及び動物等への毒性は報告されていない。
【００２１】
上記モリブデン資材の種類はモリブデン元素を含む限り特に限定されず、種々の物質がその範疇に含まれるが、モリブデン酸イオンを供給し、かつ対象となる植物への安全性が高い資材又は単体を選択することが好ましい。したがって、モリブデン資材は、金属モリブデン（単体）、三酸化モリブデン（無水モリブデン酸）、モリブデン酸とその塩、モリブドリン酸（リンモリブデン酸）とその塩、モリブドケイ酸（ケイモリブデン酸）とその塩からなる群より選択される少なくとも１種であることが好ましい。安価で市販されているものでは、金属モリブデン、三酸化モリブデン、モリブデン酸、モリブデン酸カルシウム、モリブデン酸マグネシウム、モリブドリン酸アンモニウム（リンモリブデン酸アンモニウム）、モリブドリン酸カリウム（リンモリブデン酸カリウム）、モリブデン酸アンモニウム、モリブデン酸ナトリウム、モリブデン酸カリウム、モリブドリン酸、モリブドリン酸ナトリウム（リンモリブデン酸ナトリウム）、モリブドケイ酸からなる群より選択される少なくとも１種であることが好ましい。
【００２２】
また、水に対してわずかに溶ける微溶性のモリブデン資材は、対象となる植物に対する安全性の観点では特に好ましい。微溶性のモリブデン資材とは、室温で、水に対する可溶割合が重量比１０％以下（室温で水１０ｇに対して１ｇ以下溶ける）の資材又は単体であり、例えば、金属モリブデン、三酸化モリブデン、モリブデン酸、モリブデン酸カルシウム、モリブデン酸マグネシウム、モリブドリン酸アンモニウム、及びモリブドリン酸カリウム等が挙げられる。また、オキソアニオンが縮合したポリ酸やヘテロ酸、及びそれらの塩やそれらを含む資材は、モリブデン酸イオンが容易に供給されにくく、対象となる植物に対する安全性の観点で特に好ましい。
【００２３】
これらのうち、モリブドリン酸アンモニウム及びモリブドリン酸カリウムは、水に対して微溶性であり、かつ、モリブデン酸イオンを容易に供給しないヘテロ酸の塩であるとともに、植物の苗立ち及び生育の低下を抑制する効果に優れている。また、これらの資材は黄色に着色しているため、被覆処理した種子の誤飲防止に役立つ点からも好ましい。さらに、モリブドリン酸カリウムは、アンモニアガスが発生する可能性が無い観点で、モリブドリン酸アンモニウムよりも望ましい場合がある。
【００２４】
同様に上記タングステン資材の種類はタングステン元素を含む限り特に限定されず、種々の物質がその範疇に含まれるが、タングステン酸イオンを供給し、かつ対象となる植物への安全性が高い資材又は単体を選択することが好ましい。したがって、タングステン資材としては、金属タングステン（単体）、三酸化タングステン（無水タングステン酸）、タングステン酸とその塩、タングストリン酸（リンタングステン酸）とその塩、タングストケイ酸（ケイタングステン酸）とその塩からなる群より選択される少なくとも１種であることが好ましい。安価で市販されているものでは、金属タングステン、三酸化タングステン、タングステン酸、タングステン酸アンモニウム、又はタングストリン酸アンモニウム（リンタングステン酸アンモニウム）が好ましい。
【００２５】
また、モリブデン資材の場合と同様に、タングステン資材は微溶性のものが好ましく、また、タングステン酸イオンを容易に供給しにくいポリ酸又はヘテロ酸の形態をとる資材が好ましい。なお、上記具体的に化合物名を例示した化合物は、何れも微溶性のものである。また、タングストリン酸アンモニウム及びタングストリン酸カリウムは、水に対して微溶性であり、かつタングステン酸イオンを容易に供給しないヘテロ酸の塩である。
【００２６】
なお、モリブデン資材及びタングステン資材の使用量は、特に限定されないが、例えば、植物繁殖体が種子の場合には、風乾種子重量１ｋｇに対して、モリブデン元素やタングステン元素として０．０１ｍｏｌ以上で１０ｍｏｌ以下の範囲内とすればよい。
【００２７】
なお、第一の資材として具体名を挙げたものは、植物繁殖体に実際に含まれるもの（植物繁殖体の製造又は使用のプロセスにおいて生成するものも含む）のほか、植物繁殖体の製造に用いる原料として使われるものでありうる。すなわち、植物繁殖体に対する処理前又は処理時に、これらの第一の資材と反応する別の資材を添加することで、植物繁殖体では異なる化合物に変化している場合もある。
【００２８】
（第二の資材）
第二の資材は、そのｐＨ調整作用を以って、第一の資材から供給される機能成分の供給を調整（好ましくは促進）する資材である。また、第二の資材は、第一の資材から供給される機能成分を安定化する。第一の資材は液体（水）の存在下で機能成分であるオキソアニオンを生成する。オキソアニオンの生成は環境におけるｐＨにも依存し、ｐＨが高くなるに従いその供給量が増える傾向にある。また、そのオキソアニオンはアニオンであるので、対となるカチオンの存在によって安定して存在しうる。第二の資材は、第一の資材から機能成分たるオキソアニオンを安定的に供給させるため、一例において、第二の資材の非存在下における土壌のみの作用以上にｐＨを上昇させるか、ｐＨを降下させない。言い換えれば、第二の資材は、一例において、土壌又は土壌代替物中において、これら（特に土壌）のｐＨ緩衝力が作用して示される植物繁殖体の周囲環境のｐＨをより上昇させるか、ｐＨを降下させないで、第一の資材からのオキソアニオンの供給を促進する資材である。
【００２９】
第二の資材の一例はアルカリ資材（水に溶解してアルカリ溶液を与えるもの）であるが、酸アルカリの中性に留まるよう緩衝力を持つ資材でもよく、特にアルカリ資材に限定されない。ただし、酸素発生剤として作用する過酸化カルシウムは第二の資材から除かれる。
【００３０】
上記第二の資材は、室温で、水に対する溶解割合が重量比１％以下（室温で、水１０ｇに対して０.１ｇ以下溶ける）の微溶性の資材であることが好ましい。これは、溶液を使って種子に処理する際や処理した後の状態では第一の資材に作用しにくく、土壌などに播種された後、十分な水分に接触した場合に、第一の資材に作用し、機能性成分であるオキソアニオンの供給を促進する観点からより好ましいためである。微溶性の資材としては、特に限定されないが、例えば、酸化マグネシウム、水酸化マグネシウム、炭酸マグネシウム、酸化カルシウム、水酸化カルシウム、炭酸カルシウム、酸化亜鉛、水酸化亜鉛、炭酸亜鉛、ベントナイト、及びタルクからなる群より選択される少なくとも一種が挙げられる。中でも、酸化マグネシウム、水酸化マグネシウム、炭酸マグネシウム、炭酸カルシウムは、ｐＨの降下を抑制する効果が強く、しかもｐＨが過度に上昇しにくく、種子に障害を与える虞も低いため、好ましい場合がある。その中でも、物質量が小さくて少量で済み、嵩が小さい観点から、酸化マグネシウムが望ましい場合がある。酸化マグネシウムの中でも、高温加熱した重質や電融と呼ばれる酸化マグネシウムは、溶解度がより低く、嵩が小さいため好ましい場合がある。さらに、マグネシウム資材は、肥料成分として利用されてきた実績も十分にあり好ましい場合がある。また、溶解度が低く、安全性も高く、比較的安価に入手が可能な酸化亜鉛は、亜鉛が両性元素であることから、酸性土壌でもアルカリ性土壌でもｐＨを中性付近に調整でき、酸やアルカリに弱い植物でも利用できる点で好ましい場合がある。また、ベントナイトやタルクは、他の資材に比べて著しく安価であるため、好ましい場合がある。
【００３１】
なお、第二の資材として、水溶性（すなわち微溶性よりよく溶ける）の資材を否定するものではない。水溶性資材でも、必要に応じて、溶解時に水溶性資材を吸収できる担体（例えば、粘土や酸化鉄など）を併用したり、溶液の移動を妨げる資材（例えば、ケン化度が高いＰＶＡやラテックスなど）を併用することにより、流亡や種子による吸収等を抑制できるからである。
【００３２】
なお、第二の資材の使用量は、特に限定されないが、例えば、植物繁殖体が種子の場合には、風乾種子重量１ｋｇに対して、二価の陰イオンであるモリブデン酸イオンやタングステン酸イオンに換算して０．１ｍｏｌ以上で５０ｍｏｌ以下の範囲の量とイオン的に等しい陽イオンを供給できる量とすればよい。例えば、二価の陽イオンを供給する資材であれば、二価の陽イオンを０．１ｍｏｌ以上で５０ｍｏｌ以下の範囲で含む、又は供給できる量とすれば良い。第一の資材に対する倍率で規定すれば、例えば、第一の資材から供給されるモリブデン酸イオンやタングステン酸イオンの量（ｍｏｌ）に対し、第二の資材から供給される陽イオンの量（ｍｏｌ）が、価数を考慮したイオン的な当量として０．５〜３００倍の範囲内である。
【００３３】
なお、第二の資材として具体名を挙げたものは、植物繁殖体に実際に含まれるもの（植物繁殖体の製造又は使用のプロセスにおいて生成するものも含む）のほか、植物繁殖体の製造に用いる原料として使われるものでありうる。すなわち、植物繁殖体に対する処理前又は処理時に、これらの第二の資材と反応する別の資材を添加することで、植物繁殖体では異なる化合物に変化している場合もある。
【００３４】
（その他の資材）
本発明に係る植物繁殖体は、上記第一及び第二の資材以外に、必要に応じて、鉄資材又は粘土等の資材を含んでいてもよい。鉄資材の種類は特に限定されないが、具体的には、例えば、還元鉄（Ｆｅ）、酸化鉄（ＩＩＩ）（Ｆｅ２Ｏ３）、酸化鉄（ＩＩ,ＩＩＩ）（Ｆｅ３Ｏ４）、酸化鉄（ＩＩ）（ＦｅＯ）等が挙げられ、これらの組成物であっても良い。
【００３５】
（植物繁殖体の製造例）
第一及び第二の資材が付与された植物繁殖体の製造方法は特に限定されず、第一及び第二の資材を適切な方法で植物繁殖体に付与すればよい。当該植物繁殖体が被覆種子の場合、具体的には、例えば、１）固形状（粉末状を含む）の第一及び第二の資材を十分に混ぜ合わせて、そこに種子等の植物繁殖体を加えて、適量の液体（水等）を噴霧器等を用いて添加しながら塑性状の被覆層を植物繁殖体の表面に形成する方法、２）固形状の第一及び第二の資材、並びに液体を混合して懸濁状態にして攪拌をし、そこに種子等の植物繁殖体を加えて、さらに液体以外の資材を追加で添加（例えば、第一及び第二の資材の追加投入）して相対的に水分含量を減らし、塑性状の被覆層を形成する方法、３）種子等の植物繁殖体を加え懸濁状態にして攪拌するまでは２）と同様にし、次いで、熱、通風、及び／又は放置（保管又は運搬等の他の作業と兼ねて、時間の経過に伴い、徐々に水分含量が低下する工程も放置の範疇に包含される）等で水分を減らし、塑性状の被覆層を形成する方法、４）種子等の植物繁殖体を加え懸濁状態にして攪拌するまでは２）と同様にし、次いで、植物繁殖体を液体から取り出して、塑性状の被覆層を植物繁殖体の表面に形成する方法、５）植物繁殖体の表面又は内部（植物繁殖体に吸水させておく等）に液体を予め付与しておき、次いで固形状の第一及び第二の資材をまぶして、塑性状の被覆層を植物繁殖体の表面に形成する方法、等が挙げられる。ただし、植物繁殖体は最初から第一及び第二の資材等と混合しても構わないし、植物繁殖体を予め十分湿らせてから、第一及び第二の資材等と混合しても構わない。これらを混合するタイミングは同時でもよく、又は適宜順番を変えても構わない。
【００３６】
また、必要に応じて、強制乾燥、又は自然乾燥によって、形成された上記被覆層から液体を蒸発させてもよい。
【００３７】
また、植付（播種を含む概念）までの保管が可能である場合は、植物繁殖体に残る水分を、乾燥をしなくても良い。
【００３８】
なお、上記の被覆層は、硫酸塩又は硫酸イオン等の硫黄成分を実質的に含まないことが好ましい。ここで「硫黄成分を含まない」とは、硫黄原子を含む成分を実質的に含まないことを意味する。硫黄原子を含む成分とは、例えば硫酸塩又は硫酸イオン等をさし、より具体的な化合物名を例示すれば、硫酸カルシウム、硫酸マグネシウム、硫酸カリウム、硫酸アンモニウム等が挙げられる。すなわち、本発明では、被覆層を構成する成分中に石膏等が含まれないことが好ましい。したがって、第一の資材、及び第二の資材を植物繁殖体に付着させるためにバインダーを用いる場合は、ポリビニルアルコール（特にケン化度が高いもの）等を用いることが好ましい。
【００３９】
〔２．植物の栽培方法〕
本発明は、得られた植物繁殖体を植え付けて植物を栽培する方法も提供する。すなわち、本発明に係る植物繁殖体は、植え付けられ（植付工程）た後に、利用可能な大きさの植物体となるまで栽培される。
【００４０】
植物繁殖体を植え付ける方法は特に限定されず、例えば、第一及び第二の資材を被覆（バインダー等を用いた付着による被覆も含む）された被覆種子の場合であれば、点播機、条播機、又は散播機等の播種機を用いて農地等に播種してもよく、人の手で直接播種してもよい。また、植物繁殖体が、第一及び第二の資材を付着させた幼植物（苗）の場合には、植え付け機又は人手により植え付ければよい。
【００４１】
植物繁殖体の植え付けは、例えば、土壌又は土壌代替物に対して行われる。ここで、土壌代替物とは、例えば、人工土（ピートモス等）、水耕用等の培地、等の、土壌の代わりに植物を生育させることが可能な培地を指す。
【００４２】
本発明に係る栽培方法の一例では、植物繁殖体は、少なくとも一時的に湛水状態となる条件で植付及び／又は出芽するものである。当該植物繁殖体はとりわけ湛水状態での植物の生育改善（例えば、苗立ち向上）に効果を発揮する。なお、少なくとも一時的に湛水状態となる条件とは、水田、水耕等のような長期湛水状態のみならず、多雨等によって、一時的に湛水状態となる場合をも含む。
【００４３】
また、本発明において、上記植付工程は、湛水直播の形態で行われてもよい。ここで、湛水直播とは、湛水状態の土壌又は土壌代替物等に直接播種（直播）することを意味する。湛水状態の土壌又は土壌代替物とは、例えば、代かき後の水田、水耕培地、雨等によって湛水した畑、排水が不良な土壌又は土壌代替物、等である。なお、「水田」とは、稲を栽培する耕地に限らず、水を引いて作物を栽培する耕地であればよい。
【００４４】
また、本発明において、上記植付工程は、乾田直播の形態で行われてもよい。ここで、乾田直播とは、畑状態の土壌又は土壌代替物等に直接播種（直播）することを意味する。この場合、もしも雨等によって湛水した場合などに、生育改善（例えば、苗立ち向上）に効果を発揮できる。
【００４５】
本発明では、土壌のｐＨ緩衝力に依存するのではなく、第一の資材からの機能性成分の供給を、第二の資材によって積極的に調整（好ましくは促進）するものであるから、土壌のｐＨ緩衝力が弱い土壌（酸やアルカリ剤を入れたときにｐＨが変化しやすい土壌。例えば、粘土質の土壌に比べ構造が単純な砂質の土壌などでその傾向が強い。）において、特に効果が期待される。また、第一の資材の機能性成分の供給が進みにくい酸性土壌においても効果が期待される。さらに、植物の栽培環境が劣悪な場合等では、積極的に機能成分を溶解させ、機能成分を効かせることができることから、より高い効果が期待される。
【００４６】
〔３．被覆種子のより具体的な例示〕
以下、本発明に係る植物繁殖体の一形態である被覆種子のより具体的な構成例を示す。
【００４７】
＜構成例１＞
第一の資材：モリブドリン酸カリウム、モリブドリン酸アンモニウム、及び三酸化モリブデンからなる群より選択される少なくとも一種類。モリブドリン酸カリウムが望ましい。粉状。風乾種子１ｋｇあたりモリブデン元素で０．０５ｍｏｌ以上で０．５ｍｏｌ以下の範囲内で用いる。０．１ｍｏｌ以上で０．２ｍｏｌ以下の範囲内が望ましい。
第二の資材：酸化マグネシウム、水酸化マグネシウム、炭酸マグネシウム、炭酸カルシウム、酸化亜鉛、ベントナイト、及びタルクからなる群より選択される少なくとも一種類。酸化マグネシウムが望ましく、高温加熱で生成された重質又は電融と形容される酸化マグネシウムがより望ましい。粉状。酸化マグネシウム、水酸化マグネシウム、炭酸マグネシウム、炭酸カルシウム、又は酸化亜鉛は、第一資材に含まれるモリブデン元素と当量となる金属元素を含む相当量の０．５倍からその５０倍までの範囲（ただし、畑作物や水稲乾田直播など積極的に湛水しない場合は、第一資材に含まれるモリブデン元素と当量となる金属元素を含む相当量の０．５倍からその２倍までの範囲。）。ベントナイト又はタルクについては、風乾種子重の０．１から２倍重までの範囲。
必要に応じて添加する資材：重量を増すために、酸化鉄及び粘土からなる群より選択される少なくとも一種類。粉状。風乾種子重の０．１から２倍重までの範囲。添加しない場合もある。
結合剤（バインダー）：重合度１５００以上で３５００以下の範囲内で、ケン化度は９０モル％以上で９８モル％以下の範囲内のポリビニルアルコール粉末。第一の資材、第二の資材、及び必要に応じて添加する資材の合計重量の１％重から３％重までの範囲。
種子の種類は限定されない。第一の資材、第二の資材、必要に応じて添加する資材、及びＰＶＡとが混合された組成物により、種子の外表面の被覆が行われる。
【００４８】
＜構成例２＞
第一の資材：三酸化モリブデン。風乾種子１ｋｇあたりモリブデン元素で０．０１ｍｏｌ以上で０．２ｍｏｌ以下の範囲内、あるいは０．０１ｍｏｌ以上で０．１ｍｏｌ以下の範囲内で用いる。
第二の資材：酸化マグネシウム、および水酸化マグネシウムからなる群より選択される少なくとも一種類。酸化マグネシウムが望ましく、高温加熱で生成された重質又は電融と形容される酸化マグネシウムがより望ましい。粉状。風乾種子１ｋｇあたり金属マグネシウムとして１ｍｏｌ以上で５ｍｏｌ以下の範囲内で用いる。
必要に応じて添加する資材：重量や親水性を増すため、酸化鉄。望ましくは酸化鉄（ＩＩＩ）（Ｆｅ２Ｏ３）。還元鉄を被覆し、被覆後に酸化されて酸化鉄となるものも範疇に含まれる。粉状。粒径１０μｍ以下の酸化鉄が好ましく、粒径１μｍ以下の酸化鉄がより好ましく、粒径０．１以上１μｍ以下の酸化鉄がさらに好ましい。風乾種子重の０．０５から０．５倍重までの範囲で用いる。必要に応じて添加しなくてもよい。
結合剤（バインダー）：重合度１５００以上で３５００以下の範囲内で、ケン化度は９０モル％以上で９８モル％以下の範囲内のポリビニルアルコール粉末。第一の資材、第二の資材、及び必要に応じて添加する資材の合計重量の０．１％重から２％重までの範囲。
種子の種類は限定されない。第一の資材、第二の資材、必要に応じて添加する資材、及びＰＶＡが混合された組成物により、種子の外表面の被覆が行われる。
【００４９】
＜構成例３＞
第一の資材：使用しない。または、三酸化モリブデンを０から０．０１ｍｏｌの範囲内で用いる。
第二の資材：酸化マグネシウム、水酸化マグネシウム、炭酸マグネシウム、酸化カルシウム、水酸化カルシウム、炭酸カルシウム、酸化亜鉛、水酸化亜鉛、および炭酸亜鉛からなる群より選択される少なくとも一種。より好ましくは、酸化マグネシウム、および水酸化マグネシウムからなる群より選択される少なくとも一種類。中でも酸化マグネシウムが望ましく、高温加熱で生成された重質又は電融と形容される酸化マグネシウムがより望ましい。粉状。風乾種子１ｋｇあたり金属原子（Ｍｇ、Ｃａ、またはＺｎ）として１ｍｏｌ以上で５ｍｏｌ以下の範囲内で用いる。
必要に応じて添加する資材：重量や親水性を増すため、酸化鉄。望ましくは酸化鉄（ＩＩＩ）（Ｆｅ２Ｏ３）。還元鉄を被覆し、被覆後に酸化されて酸化鉄となるものも範疇に含まれる。粉状。粒径１０μｍ以下の酸化鉄が好ましく、粒径１μｍ以下の酸化鉄がより好ましく、粒径０．１以上１μｍ以下の酸化鉄がさらに好ましい。風乾種子重の０．０５から０．５倍重までの範囲で用いる。必要に応じて添加しなくてもよい。
結合剤（バインダー）：重合度１５００以上で３５００以下の範囲内で、ケン化度は９０モル％以上で９８モル％以下の範囲内のポリビニルアルコール粉末。第二の資材、必要に応じて添加する第一の資材、及び必要に応じて添加する酸化鉄の合計重量の０．１％重から２％重までの範囲。
種子の種類は限定されない。第二の資材、必要に応じて添加する第一の資材、必要に応じて添加する酸化鉄、及びＰＶＡが混合された組成物により、種子の表面被覆が行われる。
構成例３の被覆種子において、植物の苗立ち向上に寄与する活性成分は、第一の資材として三酸化モリブデンを用いる場合は第一の資材と第二の資材とであり、第一の資材を用いない場合は第二の資材である。この被覆種子は、第一の資材と第二の資材以外に、植物の苗立ち向上に寄与する活性成分を含んでいなくてもよい。
また、構成例３の被覆種子は、第二の資材とＰＶＡとのみによって被覆されていてもよく、さらに必要に応じて、第一の資材（三酸化モリブデン）および酸化鉄からなる群から選択される一方または両方のみをさらに含んでいてもよい。
構成例３の被覆種子の特に具体的な一例は、酸化鉄とＰＶＡと苦土（酸化マグネシウム）とによって種子が被覆されているものである。
【実施例】
【００５０】
以下に実施例を示し、本発明の実施の形態についてさらに詳しく説明するが、本発明は以下の実施例に限定されるものではない。
【００５１】
〔実施例１：モリブドリン酸カリウムと酸化マグネシウムの組合せ（１）〕
＜試験１ａ〜１ｅ＞
０．２ｍｏｌＭｏ／ｋｇ（風乾種子。以下、同様。）相当量のモリブドリン酸カリウム（日本新金属（株）製。以下、ＭｏＰＫと表記。）と、表１に示すｍｏｌＭｇ／ｋｇ相当量の酸化マグネシウム（和光純薬工業（株）製、試薬特級、重質。以下、ＭｇＯと表記。）をよく混合し、この混合物重量の１％（試験１ｃと１ｄと１ｅでは２％）重のＰＶＡ粉末（日本酢ビ・ポバール（株）製、ＪＭ−１７Ｓ。以下、ＰＶＡと表記。以後の試験の被覆において、ＰＶＡについて個別に記載しない場合、ＰＶＡを同様に混合物重量の２％重を混合した。）をさらに混合し、水を霧吹きでかけて風乾水稲種子（品種：にこまる）に被覆し、できた被覆種子を風乾した。
【００５２】
乾土１００ｇ相当量の水田湿潤土壌を、直径約７ｃｍ円筒形容器に採取し、使用するまで湿潤のまま冷蔵保管した。なお、水田湿潤土壌は、試験１ａと１ｂは福岡県筑後市水田から、試験１ｃ〜１ｅは、佐賀県上峰町で実際の直播で苗立ちが良くないことが問題となっている水田一筆（以下、不良土と表記。）から採取した。
【００５３】
そして、この水田湿潤土壌に、乾土の約１．５倍重に相当する水溶液を添加した。水溶液は、乾土１００ｋｇ／ｍ２換算で、０．１ｍｏｌＫ／ｍ２となるように塩化カリウム（試薬特級）を溶解した。塩化カリウムについては、以下の試験で個別に記載しないが、実施例２以降を含む全ての試験で添加した。また、試験１ａ、１ｂ、１ｃ、１ｄでは、０．４ｍｏｌＮ／ｍ２となるように硫酸アンモニウム（試薬特級）も溶解した。試験１ｅでは、０．４ｍｏｌＮ／ｍ２となるように塩酸アンモニウム（試薬特級）も溶解した。試験１ａ、１ｂ、１ｄ、１ｅでは、容器当たり１００ｍｇ相当量のＤ（＋）−マルトース一水和物（和光特級。以下、糖と記載。）を添加した。さらに、試験１ｂでは容器当たり０．２ｍｍｏｌＨＣｌ相当量の６Ｎ塩酸（容量分析用。以下、酸と記載。）を添加した。いずれも和光純薬工業（株）製の試薬を使用した。
【００５４】
硫酸アンモニウムに含まれる硫酸根の添加は、還元条件で有害な硫化物イオンの生成を促進する。また、前作残渣を鋤込むと、有機物である前作残渣の分解によって、土壌の還元が早くなり、苗立ちが阻害されることが知られている。マルトースは、これを模して、苗立ちにとって厳しい条件を作出するため、添加した。さらに、土壌によっては、塩基の溶脱が進み、酸性を呈する場合がある。塩酸は、このような酸性土を模して、添加した。容器に蓋をして室温で１時間ほど振盪した後、４℃で２日間静置し、湛水土壌を作製した。
【００５５】
この湛水土壌に、上述の被覆種子又は無処理の種子を播種した。１つの容器には、同じ処理を施した８個の種子を深さ１５ｍｍ、約２ｃｍ間隔で播種し、軽く揺らして播種穴を塞いだ。各処理には６容器を充てた。播種した容器は蓋をせずに、１日のうち半日だけ蛍光灯が点灯する２０℃の恒温器内に静置した。土壌表面上の水深は約１５ｍｍとし、蒸発により減った際に蒸留水を補った。播種約４週間後に、各容器の苗立ち割合（第３葉抽出個体数の割合）を調査し、処理別の苗立ち割合の平均と標準誤差とを求めた。
【００５６】
【表１】
2013208106.tif 000002
【００５７】
表１に示した様に、苗立ちしにくい条件とした全ての試験で、ＭｇＯを加えない場合に比べて、わずか０．１〜０．５ｍｏｌＭｇ／ｋｇ相当量のＭｇＯを加えて被覆した種子でも、苗立ちが顕著に向上した。また、極めて苗立ちしにくかった試験１ｂや試験１ｄでは、５〜２０ｍｏｌＭｇ／ｋｇ相当量のＭｇＯを加えて被覆した種子で、さらに苗立ち割合が向上した。
【００５８】
＜試験１ｆ＞
試験１ａ〜ｅと同様に、０．２ｍｏｌＭｏ／ｋｇ相当量のＭｏＰＫと、０又は０．２ｍｏｌＭｇ／ｋｇのＭｇＯをよく混合し、被覆種子を作成した（ＰＶＡは混合物重量の２％重）。試験１ａ〜ｅと同様に、福岡県筑後市の水田土壌を容器に詰めた。ただし、溶液を加えず、土壌表面を平らに静置し、作成した種子を土壌表面に８粒ずつ並べ、板で押さえつけた。試験１ａ〜ｅと同様に、２０℃の恒温器内にいれ、種子に触れない程度に水をかけて土壌を湿らせた。この条件は、種子にとって空気と水分が適度に利用できる畑条件である。播種後１１日目に第２葉を展開した個体数を調査した。
【００５９】
【表２】
2013208106.tif 000003
【００６０】
この試験では、湛水していないため、ほぼ全ての個体が出芽した。しかし、表２に示した様に、播種後１１日目まで第２葉を展開した個体数は、ＭｇＯを添加した場合に約２倍となり、生育が促進されることが示唆された。
【００６１】
〔実施例１−１：モリブドリン酸カリウムと酸化マグネシウムの組合せ（２）〕
実施例１の試験１ａと同様にして、硫酸アンモニウムと糖とを水田湿潤土壌に混合した試験用の土壌を調整した。水稲種子（品種：にこまる）を蒸留水に１０℃で５日間ほど、その後３０℃で６時間ほど浸漬した。この状態で水稲種子は発芽していなかった。０．１ｍｏｌＭｏ／ｋｇ（風乾種子）相当量のモリブドリン酸カリウムに、このモリブドリン酸カリウムの２％重に相当するＰＶＡと、図１に示すｍｏｌＭｇ／ｋｇ相当量の酸化マグネシウム（タテホ化学工業（株）製、電融マグネシア９６、高温加熱でつくられた電融酸化マグネシウム）と、この酸化マグネシウムの１％重に相当するＰＶＡとを混合し、水を霧吹きでかけて水稲種子の表層に被覆し、できた被覆種子を風乾した。
【００６２】
次いで、実施例１と同様にして、調整した試験用の土壌に被覆種子を播種した。そして、実施例１と同様にして、２０℃での苗立ち割合の平均と標準誤差とを求めた。ただし、蛍光灯の代わりに、メタルハライドランプ（土壌面の光強度  ０．４ｍｍｏｌ／ｍ２／ｓ）を半日おきに点灯させた。
【００６３】
図１に示したように、酸化マグネシウムを加えない場合に比べて、０．２〜１０ｍｏｌＭｇ／ｋｇ相当量の酸化マグネシウムを加えて被覆した種子で、苗立ちがより一層向上した。
【００６４】
〔実施例１−２：モリブドリン酸カリウムと酸化鉄と酸化マグネシウムとの組合せ〕
実施例１−１と同様にして、硫酸アンモニウムと糖とを水田湿潤土壌に混合した試験用の土壌を調整した。実施例１−１と同様にして、水稲種子を、発芽しない程度に蒸留水に浸漬した。０．２ｍｏｌＭｏ／ｋｇ（風乾種子）相当量のモリブドリン酸カリウムに、風乾種子重の０．１倍重の酸化鉄粉末（森下弁柄工業（株）製、品名：Ｎｏ．１０９４、酸化鉄（ＩＩＩ）、９９重量%、平均粒径  ０．５７μｍ）をよく混合し、この混合物の２％重のＰＶＡ粉をさらに加えてよく混合し、最終的に得られた混合物を、実施例１−１と同様にして水稲種子に被覆した。さらに、図２に示すｍｏｌＭｇ／ｋｇ相当量の酸化マグネシウム（タテホ化学工業（株）製、電融マグネシア９６）と、酸化マグネシウムの１％重に相当するＰＶＡとを混合し、実施例１−１と同様にして、水稲種子にさらに被覆し、できた被覆種子を風乾した。すなわち、得られた被覆種子は、モリブドリン酸カリウムおよび酸化鉄を含む内層と、酸化マグネシウムを含む外層とを有する。
【００６５】
次いで、実施例１−１と同様にして、調整した試験用の土壌に被覆種子を播種し、２０℃での苗立ち割合の平均と標準誤差とを求めた。
【００６６】
図２に示したように、酸化マグネシウムを加えない場合に比べて、０．２〜２０ｍｏｌＭｇ／ｋｇ相当量の酸化マグネシウムを加えて被覆した種子で、苗立ちがより一層向上した。
【００６７】
〔実施例２：三酸化モリブデンと酸化マグネシウムの組合せ〕
実施例１の試験１ｂと同様に、硫酸アンモニウムと糖と酸を加えて湛水土壌を調整した。被覆種子は、ＭｏＰＫの代わりに、三酸化モリブデン（和光純薬工業（株）製。以下、ＭｏＯと表記。）を用いた以外は試験１ｂと同様に作成し（ＰＶＡは混合物重量の１％重）、無処理の種子とともに苗立ち割合を調べた。
【００６８】
【表３】
2013208106.tif 000004
【００６９】
表３に示した様に、苗立ちしにくい土壌条件において、わずか０．１ｍｏｌＭｇ／ｋｇ相当量のＭｇＯを加えた被覆種子でも、ＭｇＯを加えない場合に比べて苗立ちが向上した。さらにＭｇＯの量を増やした場合、苗立ち割合がより向上する傾向がみられた。
【００７０】
〔実施例３：モリブドリン酸アンモニウムと酸化マグネシウムの組合せ〕
実施例１の試験１ａと同様に、硫酸アンモニウムと糖を加えて湛水土壌を調整した。被覆種子は、ＭｏＰＫの代わりに、モリブドリン酸アンモニウム（和光純薬工業（株）製。以下、ＭｏＰＮＨと表記。）を用いた以外は試験１ａと同様に作成し（ＰＶＡは混合物重量の１％重）、無処理の種子とともに苗立ち割合を調べた。
【００７１】
【表４】
2013208106.tif 000005
【００７２】
表４に示した様に、ＭｇＯを加えない場合に比べて、０．５ｍｏｌＭｇ／ｋｇ相当量のＭｇＯを加えた被覆種子では、苗立ちが向上した。
【００７３】
〔実施例４：モリブドリン酸カリウムと水酸化マグネシウムの組合せ〕
実施例１の試験１ａと同様に、硫酸アンモニウムと糖を加えて湛水土壌を調整した。被覆種子は、ＭｇＯの代わりに、水酸化マグネシウム（和光純薬工業（株）製。以下、Ｍｇ（ＯＨ）２と表記。）を用いた以外は試験１ａと同様に作成し（ＰＶＡは混合物重量の１％重）、無処理の種子とともに苗立ち割合を調べた。
【００７４】
【表５】
2013208106.tif 000006
【００７５】
表５に示した様に、Ｍｇ（ＯＨ）２を加えない場合に比べて、０．１〜０．２ｍｏｌＭｇ／ｋｇ相当量のＭｇ（ＯＨ）２を加えた被覆種子では、苗立ちが向上した。
【００７６】
〔実施例５：モリブドリン酸カリウムと酸化亜鉛の組合せ〕
糖を加えない以外は、実施例１の試験１ａの条件（硫安を添加）で湛水土壌を調整した。被覆種子は、ＭｇＯの代わりに、酸化亜鉛（和光純薬工業（株）製、試薬特級。以下、ＺｎＯと表記。）を用いた以外は試験１ａと同様に作成し（ＰＶＡは混合物重量の１％重）、無処理の種子とともに苗立ち割合を調べた。
【００７７】
【表６】
2013208106.tif 000007
【００７８】
表６に示した様に、０．１〜１０ｍｏｌＭｇ／ｋｇ相当量のＺｎＯを加えた被覆種子では、ＺｎＯを加えない場合に比べて苗立ちがより向上した。
【００７９】
〔実施例６：モリブドリン酸カリウムと様々な資材との組合せ〕
＜試験６ａ＞
実施例１の試験１ａと同様に、硫酸アンモニウムと糖を加えて湛水土壌を調整した。種子は、無処理の場合と、ＭｇＯを除いてＭｏＰＫのみとした以外は試験１ａと同様にした場合と、ＭｇＯに代えて、０．５ｍｏｌ（金属元素）／ｋｇ相当の、Ｍｇ（ＯＨ）２、炭酸カルシウム（和光純薬工業（株）製、試薬特級。以下、ＣａＣＯ３と表記。）、ＺｎＯ、炭酸マグネシウム（和光純薬工業（株）製、塩基性、重質。以下、ＭｇＣＯ３と表記。）を用いた以外は試験１ａと同様にした場合（ＭｏＰＫと各資材との組合せ）とを準備し（ＰＶＡは混合物重量の１％重）、苗立ち割合を調べた。
【００８０】
【表７】
2013208106.tif 000008
【００８１】
表７に示した様に、無処理に対して、ＭｏＰＫのみでも一定の苗立ち向上効果が得られるが、ＭｏＰＫに上記の資材を混合した被覆種子では、苗立ちがより向上した。
【００８２】
＜試験６ｂ＞
実施例１の試験１ｄで用いた不良土に、実施例５と同様に硫酸アンモニウムを添加して湛水土壌を調整した。種子は、試験６ａと同様に、無処理の場合と、ＭｏＰＫのみの場合と、ＭｏＰＫに加えて２ｍｏｌ（金属元素）／ｋｇ相当の、ＭｇＣＯ３、ＭｇＯ、Ｍｇ（ＯＨ）２、ＣａＣＯ３、酸化カルシウム（和光純薬工業（株）製。以下、ＣａＯと表記。）を併用した場合とを作成し（ＰＶＡは混合物重量の２％重）、苗立ち割合を調べた。
【００８３】
【表８】
2013208106.tif 000009
【００８４】
表８に示した様に、無処理に対して、ＭｏＰＫのみでも一定の苗立ち向上効果が得られるが、ＭｏＰＫにこれらの資材を混合した被覆種子では、苗立ちがより向上した。
【００８５】
＜試験６ｃ＞
実施例１の試験１ｄで用いた不良土に、試験６ｂのように硫安を添加し、さらに試験１ｂの様に酸を添加して（ただし糖は添加しなかった）湛水土壌を調整した。種子は、試験６ｂの各処理と同様にしたもの（ただし、ＭｏＰＫのみの場合は無し）に加え、ＭｏＰＫに２ｍｏｌＣａ／ｋｇ相当の水酸化カルシウム（和光純薬工業（株）製、試薬特級。以下、Ｃａ（ＯＨ）２と表記。）を併用したものも作成し（ＰＶＡは混合物重量の２％重）、苗立ち割合を調べた。
【００８６】
【表９】
2013208106.tif 000010
【００８７】
表９に示した様に、無処理では苗立ちが得られなかったが、これらの資材を混合した被覆種子では、苗立ちがより向上した。
【００８８】
＜試験６ｄ＞
糖を入れない点以外は、実施例１の試験１ｂと同様の条件で湛水土壌を調整した。被覆種子は、試験６ｃと同様に、ＭｏＰＫのみとした場合と、ＭｏＰＫに加えて、種子重の２倍重のベントナイト（（株）ホージュン製、榛名）、又はタルク（滑石）５銘柄（Ａ：富士タルク工業（株）製、ＰＫ−５０、Ｂ：同、ＮＫ−４８、Ｃ：竹原化学工業（株）、Ｔタルク、Ｄ：日本タルク（株）、ＳＷ、Ｅ：（株）福岡タルク工業所、ＣＸ−Ａ）のいずれかを併用した場合とを作成し（ＰＶＡは混合物重量の２％重）、同様に苗立ち割合を調べた。
【００８９】
【表１０】
2013208106.tif 000011
【００９０】
表１０に示した様に、ＭｏＰＫにこれらの資材を混合した被覆種子では、苗立ちがより向上した。
【００９１】
〔実施例７：酸化マグネシウムのみの場合（１）〕
実施例５と同様に硫酸アンモニウムを添加し、湛水土壌を作成した。種子は、ＭｏＰＫを用いず、０〜１２．４ｍｏｌＭｇ／ｋｇ相当量のＭｇＯ、又は０〜１０ｍｏｌＺｎ／ｋｇ相当量のＺｎＯを種子に被覆した（ＰＶＡは混合物重量の１％重）点以外は試験１ａと同様にして作成した。そして、この被覆種子を、作成した湛水土壌に播種して、同様に苗立ち割合を調べた。さらに、土壌の調整は同様で、１０ｍｏｌ（金属元素）／ｋｇ相当量の、ＺｎＯ、ＭｇＣＯ３、ＭｇＯ、Ｍｇ（ＯＨ）２、ＣａＯ、Ｃａ（ＯＨ）2を被覆した種子も作成し（ＰＶＡは混合物重量の２％重）、同様に播種後、１日のうち半日だけ人工灯（照度は約０．４ｍｍｏｌ／ｍ２／ｓ）を点灯するように設定した２０℃の恒温器内に静置して、同様に苗立ち割合を調べた。
【００９２】
【表１１】
2013208106.tif 000012
【００９３】
【表１２】
2013208106.tif 000013
【００９４】
【表１３】
2013208106.tif 000014
【００９５】
表１１〜１３に示した様に、ＭｇＯやＺｎＯなどこれらの資材を被覆することで、一定の苗立ち向上効果が得られた。
【００９６】
〔実施例７−１：酸化マグネシウムのみの場合（２）〕
硫化物イオンが生成しにくい穏やかな条件となるよう、硫酸アンモニウムの量を０．１ｍｏｌＮ／ｍ２に減らした点以外は、実施例７と同様にして湛水土壌を調整した。図３に示すｍｏｌＭｇ／ｋｇ相当量の酸化マグネシウム（和光純薬工業（株）製、試薬特級、重質）にその１％重のＰＶＡを混合して得た混合物を、実施例７と同様にして水稲種子に被覆し、得られた被覆種子を湛水土壌に播種した。実施例１と同様にして、蛍光灯を用いた、２０℃での苗立ち割合の平均と標準誤差とを求めた。
【００９７】
図３に示したように、酸化マグネシウムを加えない場合に比べて、０．０５〜５ｍｏｌＭｇ／ｋｇ相当量の酸化マグネシウムを加えて被覆した水稲種子で、苗立ちが向上した。実施例７に比べて、より少ない酸化マグネシウムの量で、苗立ちの向上効果が得られることが示された。
【００９８】
〔実施例７−２：酸化マグネシウムと酸化鉄との組み合わせ〕
実施例７−１と同様にして、湛水土壌を調整した。風乾種子重の０．１倍重の酸化鉄粉末（森下弁柄工業（株）製、品名：Ｎｏ．１０９４）と、図４に示すｍｏｌＭｇ／ｋｇ相当量の酸化マグネシウム（タテホ化学工業（株）製、電融マグネシア９６）とを混合し、得られた混合物の１％重のＰＶＡをさらに混合して被覆用の混合物を得た。実施例７−１と同様にして、被覆用の混合物を水稲種子に被覆し、得られた被覆種子を湛水土壌に播種した。実施例７−１と同様にして、２０℃での苗立ち割合の平均と標準誤差とを求めた。
【００９９】
図４に示したように、酸化マグネシウムを加えない場合に比べて、０．１２〜１２．４ｍｏｌＭｇ／ｋｇ相当量の酸化マグネシウムを加えて被覆した水稲種子で、苗立ちが向上した。
【０１００】
〔実施例７−３：水酸化マグネシウムと酸化鉄との組み合わせ〕
実施例７−２と同様にして、湛水土壌を調整した。風乾種子重の０．１倍重の酸化鉄粉末（森下弁柄工業（株）製、品名：Ｎｏ．１０９４）と、図５に示すｍｏｌＭｇ／ｋｇ相当量の水酸化マグネシウム（和光純薬工業（株）製）とを混合し、得られた混合物の１％重のＰＶＡをさらに混合して被覆用の混合物を得た。実施例７−２と同様にして、被覆用の混合物を水稲種子に被覆し、得られた被覆種子を湛水土壌に播種した。実施例７−２と同様にして、２０℃での苗立ち割合の平均と標準誤差とを求めた。
【０１０１】
図５に示したように、水酸化マグネシウムを加えない場合に比べて、０．０５〜５ｍｏｌＭｇ／ｋｇ相当量の水酸化マグネシウムを加えて被覆した水稲種子で、苗立ちが向上した。
【０１０２】
〔実施例７−４：様々な資材と酸化鉄の組み合わせ〕
実施例７−３と同様にして、湛水土壌を調整した。実施例６と同じ、酸化亜鉛（ＺｎＯ）、炭酸マグネシウム（ＭｇＣＯ３）、炭酸カルシウム（ＣａＣＯ３）、酸化カルシウム（ＣａＯ）、水酸化カルシウム（Ｃａ（ＯＨ）２）のいずれか一種類を２ｍｏｌ（金属元素）／ｋｇと、風乾種子重の０．１倍重の酸化鉄粉末（森下弁柄工業（株）製、品名：Ｎｏ．１０９４）とを混合し、この混合物重量の１％重のＰＶＡをさらに混合して、被覆用の混合物を得た。実施例７−３と同様にして、被覆用の混合物を水稲種子に被覆し、得られた被覆種子を湛水土壌に播種した。実施例７−３と同様にして、２０℃での苗立ち割合の平均と標準誤差とを求めた。なお、酸化鉄粉末とＰＶＡのみで水稲種子を被覆した場合も調べた。
【０１０３】
図６に示したように、酸化鉄粉末とＰＶＡのみの場合（「無」と記載）に比べて、酸化亜鉛、炭酸マグネシウム、炭酸カルシウム、酸化カルシウム、水酸化カルシウムのいずれを加えた場合でも、苗立ちが向上した。
【０１０４】
〔実施例８：麦への効果〕
＜試験８ａ＞
実施例５と同様に硫酸アンモニウムを添加し、湛水土壌を作成した。ただし、この試験では乾土の約０．６倍重に相当する硫酸アンモニウム水溶液を添加した。添加された溶質の量は試験５と同じで、水面が土壌表面と近くなるよう、水量のみを減らした。
【０１０５】
表１４に示すようにＭｏＰＫとＭｇＯの量を変えて混合し、水稲種子に代えて小麦種子（品種：チクゴイズミ）を用いた以外は実施例５と同様に被覆種子を作成した（ＰＶＡは混合物重量の３％重）。そして、被覆種子及び無処理の種子を土壌表面に播種し、板で土壌に押し込んだ。その後、１日のうち半日だけ人工灯（照度は約０．４ｍｍｏｌ／ｍ２／ｓ）を点灯するように設定した２０℃の恒温器内に静置した。土壌表面上の水深は約１５ｍｍとし、その状態でも種子が完全に土壌中に入るように、板で繰り返し種子を土壌に押し込んだ。土壌表面は代かき状態となり、畑作物の苗立ちには大変厳しい条件となった。湛水を３日間維持し、その後、土壌表面の水を除いた。その後は、乾燥による土壌の白化がみられた場合、１日に２度ほど白化部を無くす程度に水を補給し、湿潤な状態を維持した。播種約３週間後に、本葉抽出個体を数え、その割合を苗立ち割合として、平均と標準誤差とを求めた。
【０１０６】
【表１４】
2013208106.tif 000015
【０１０７】
表１４に示した様に、ＭｏＰＫによって苗立ち割合が高まるが、ＭｇＯを加えることで、さらに苗立ち向上効果が得られた。
【０１０８】
＜試験８ｂ＞
試験８ａと同様に、硫酸アンモニウムを添加し、湛水土壌を作成した。無処理の場合と、０．２ｍｏｌＭｏ／ｋｇのＭｏＰＫのみの場合と、ＭｏＰＫに加えて０．１ｍｏｌ／ｋｇ相当の、ＭｇＣＯ３、ＭｇＯ、Ｍｇ（ＯＨ）２、ＣａＣＯ３を混合した点以外は、試験８ａと同様に、小麦種子に被覆し（ＰＶＡは混合物重量の２％重）、湛水土壌における苗立ち割合を調べた。
【０１０９】
【表１５】
2013208106.tif 000016
【０１１０】
表１５に示した様に、ＭｏＰＫによって苗立ち割合が高まるが、さらにこれらの資材を混合した被覆種子では、苗立ちがより向上した。
【０１１１】
＜試験８ｃ＞
福岡県筑後市の水田において、２０１１年１０月１９日に、慣行の麦栽培に従って、小麦（品種：チクゴイズミ）と大麦（品種：ニシノチカラ）を機械播種した。種子は、無処理と、０．５ｍｏｌＭｏ／ｋｇのＭｏＯに加えて１ｍｏｌＺｎ／ｋｇ相当のＺｎＯを混合して、試験８ａと同様に被覆したもの（ＰＶＡは混合物重量の１％重）を用いた。播種後、表土を鎮圧し、土壌中に波板を打ち込んで区画を分けて、播種後湛水１日後に排水する区（湛水１日と表記）と、播種後湛水３日後に排水する区（湛水３日と表記）を設けた。１１月８日（湛水１日）と１１月１４日（湛水３日）に本葉抽出個体を数え、播種種子数に対する割合を苗立ち割合として求めた。各条件で３ｍ×４８箇所の調査に基づき、平均と標準誤差を求めた。
【０１１２】
【表１６】
2013208106.tif 000017
【０１１３】
表１６に示した様に、ＭｏＯとＺｎＯを被覆した区では、小麦でも大麦でも苗立ち割合が顕著に向上した。
【０１１４】
〔実施例９：大豆への効果〕
試験８ａと同様に、硫酸アンモニウムを添加し、湛水土壌を作成した。土壌表面は代かき状態となり、畑作物の苗立ちには大変厳しい条件となった。無処理と０．２ｍｏｌＭｏ／ｋｇのＭｏＰＫのみの場合と、ＭｏＰＫに加えて０．１又は０．２ｍｏｌＭｇ／ｋｇ相当のＭｇＯを混合して、試験８ａと同様に、大豆種子（フクユタカ）に被覆し（ＰＶＡは混合物重量の３％重）、同様に湛水土壌に播種して３日後の落水した場合の苗立ち割合を調べた。
【０１１５】
【表１７】
2013208106.tif 000018
【０１１６】
表１７に示した様に、ＭｏＰＫによって苗立ち割合が高まるが、ＭｇＯを加えることで、さらに苗立ち向上効果が得られた。
【０１１７】
〔実施例１０：モリブデン資材と各種資材を混合した際のｐＨ〕
０．２ｍｏｌＭｏ／ｋｇのモリブデン資材（ＭｏＯ、ＭｏＰＮＨ、ＭｏＰＫ）と、０〜１０ｍｏｌ／ｋｇの各種資材（名称は、表１０ａ中にモリブデン資材の下に記載。電融ＭｇＯは、高温加熱してつくられた電融酸化マグネシウム（タテホ化学工業（株）製、電融マグネシア９６）。）を混合し、風乾種子約２ｇ相当の被覆した種子を１０ｍｌの水に入れて１日経過した後に、水溶液のｐＨを計測した。また、ＭｏＰＫに加えて、ベントナイト又はタルクを併用して被覆した試験６ｄの種子についても同様に水に付けて、水溶液のｐＨを計測した。
【０１１８】
【表１８】
2013208106.tif 000019
【０１１９】
【表１９】
2013208106.tif 000020
【０１２０】
表１８〜１９に示した様に、いずれのモリブデン資材に、各種の資材を混合した場合も、被覆種子を入れた水溶液のｐＨは上昇した。当量の資材を使用した際のｐＨは、ＺｎＯ＜ＣａＣＯ３＜ＭｇＣＯ３＜Ｍｇ（ＯＨ）２＜ＭｇＯ＜ＣａＯ≒Ｃａ（ＯＨ）２の順に上がりにくく、種子に対し、アルカリによる障害を及ぼしにくいと考えられた。また、電融ＭｇＯは、一般的なＭｇＯ（重質）に比べて、ｐＨが上昇しにくかった。より多い資材を使用してもｐＨを高めすぎず、このため、より長時間効果を及ぼすことが期待された。
【０１２１】
なお、表２０には、参考として各種資材の一部に関して溶解度（文献値）を示す。
【０１２２】
【表２０】
2013208106.tif 000021
【０１２３】
特に、ＭｇＯ、Ｍｇ（ＯＨ）２、ＭｇＣＯ３、ＣａＣＯ３の溶解度が低く、種子に及ぼす影響が小さいことが期待される。
【産業上の利用可能性】
【０１２４】
本発明は、作物を栽培する農業分野での広範な利用が可能である。
【図１】
2013208106.tif 000022
【図２】
2013208106.tif 000023
【図３】
2013208106.tif 000024
【図４】
2013208106.tif 000025
【図５】
2013208106.tif 000026
【図６】
2013208106.tif 000027